(57)【要約】【課題】  安い監視コストで、越ガス量の変化を精度良く監視できるようにする。【解決手段】  ガス管Ｂ内を遮断しているガスバッグ６と管内面７との間を通して漏れ出した越ガスを監視できるように構成してある越ガス監視装置であって、ガスバッグでガスの流入が遮断されている流入遮断側管内を密閉するとともに、その密閉した流入遮断側管内８に連通する放出管１１を設けて、密閉した流入遮断側管内に漏れ出した越ガスを放出管を通して放出可能に構成し、その放出管に、越ガスによって通過音を発生可能なオリフィス１９を、その通過音を外部空間に伝播可能に設けてある。【選択図】        図１
2005249156.tif 000002
【特許請求の範囲】
【請求項１】
ガス管内を遮断しているガスバッグと管内面との間を通して漏れ出した越ガスを監視できるように構成してある越ガス監視装置であって、
前記ガスバッグでガスの流入が遮断されている流入遮断側管内を密閉するとともに、その密閉した流入遮断側管内に連通する放出管を設けて、前記密閉した流入遮断側管内に漏れ出した前記越ガスを前記放出管を通して放出可能に構成し、
前記放出管に、前記越ガスによって通過音を発生可能なオリフィスを、その通過音を外部空間に伝播可能に設けてある越ガス監視装置。
【請求項２】
前記オリフィスを、前記越ガスが許容流量を越える流量で通過すると、外部空間に伝播可能な通過音が発生するように設けてある請求項１記載の越ガス監視装置。
【請求項３】
二個のガスバッグを、前記ガス管の管壁に形成した貫通孔を通して、その貫通孔形成箇所を挟んで管長手方向に対向するように管内に装着して、前記流入遮断側管内を密閉し、
前記放出管を、前記貫通孔を介して、前記密閉した流入遮断側管内に連通させてある請求項１又は２記載の越ガス監視装置。
【発明の詳細な説明】
【技術分野】
【０００１】
本発明は、ガス管内を遮断しているガスバッグと管内面との間を通して漏れ出した越ガスを監視できるように構成してある越ガス監視装置に関する。
【背景技術】
【０００２】
ガスバッグと管内面との間を通して漏れ出す越ガスが許容流量を越えて漏れ出しているような場合は、ガスバッグの装着作業をやり直したり、装着するガスバッグの数を増やすなどの措置を講じる必要があるが、越ガス量は、ガス管内のガス圧の変化や、ガスバッグと管内面との密着状態の変化などにより変化することがあり、ガス管内を遮断している間は、越ガス量の変化を監視している必要がある。
そこで、ガスが通流している活管状態のガス管内を遮断して配管工事などを実施するために、例えば、ガスの外部への漏れ出しを防止しながら、管壁に形成した貫通孔を通してガスバッグを挿入できるように構成してあるガスバッグ挿入装置を使用して、二個のガスバッグを貫通孔を挟む前後の管内に装着することにより、そのガス管内を遮断してあるような場合、従来の越ガス監視装置では、ガスバッグ挿入装置の内部に流入した越ガスの圧力を検出するＵ字管などの圧力計を設けて、その圧力計の表示圧力を目視することにより、越ガス量の変化を監視できるように構成している(例えば、特許文献１参照)。
【０００３】
【特許文献１】特開２００１−２３５０８８号公報
【発明の開示】
【発明が解決しようとする課題】
【０００４】
このため、越ガス量の変化を精度良く監視するには、専属の監視要員を配置して、ガス管内をガスバッグで遮断している間、圧力計の表示圧力を常時目視している必要があり、監視コストが高くなる欠点がある。
また、配管工事などに従事している作業者が、圧力計の表示圧力を目視しながら、配管作業などを行うような場合は、監視コストを安くすることができるが、越ガス量の変化を見逃すおそれがあるなど、精度良く監視できない欠点がある。
本発明は上記実情に鑑みてなされたものであって、安い監視コストで、越ガス量の変化を精度良く監視できるようにすることを目的とする。
【課題を解決するための手段】
【０００５】
本発明の第１特徴構成は、ガス管内を遮断しているガスバッグと管内面との間を通して漏れ出した越ガスを監視できるように構成してある越ガス監視装置であって、前記ガスバッグでガスの流入が遮断されている流入遮断側管内を密閉するとともに、その密閉した流入遮断側管内に連通する放出管を設けて、前記密閉した流入遮断側管内に漏れ出した前記越ガスを前記放出管を通して放出可能に構成し、前記放出管に、前記越ガスによって通過音を発生可能なオリフィスを、その通過音を外部空間に伝播可能に設けてある点にある。
【０００６】
〔作用及び効果〕
ガスバッグでガスの流入が遮断されている流入遮断側管内を密閉するとともに、その密閉した流入遮断側管内に連通する放出管を設けて、密閉した流入遮断側管内に漏れ出した越ガスを放出管を通して放出可能に構成し、その放出管に、越ガスによって通過音を発生可能なオリフィスを、その通過音を外部空間に伝播可能に設けてあるので、ガス管内をガスバッグで遮断している間、越ガスがある場合は、その越ガスがオリフィスを通過する際に発生した通過音が外部空間に伝播され、また、越ガス量が多いほど大きな通過音が発生するので、オリフィス近くで配管工事などに従事している作業者は、配管作業などを行いながらでも、その通過音で越ガス量の変化を監視することができ、専属の監視要員を特に配置することなく、安い監視コストで、越ガス量の変化を精度良く監視できる。
【０００７】
本発明の第２特徴構成は、前記オリフィスを、前記越ガスが許容流量を越える流量で通過すると、外部空間に伝播可能な通過音が発生するように設けてある点にある。
【０００８】
〔作用及び効果〕
越ガスによって通過音を発生可能なオリフィスを、越ガスが許容流量を越える流量で通過すると、外部空間に伝播可能な通過音が発生するように設けてあるので、越ガスが許容流量以下でオリフィスを通過する場合は、配管工事などに従事している作業者は配管作業などに専念でき、越ガスが許容流量を越える流量でオリフィスを通過すると、その通過音が外部空間に伝播されるので、許容流量を越えるような越ガス量の変化をタイミング良く報知できる。
【０００９】
本発明の第３特徴構成は、二個のガスバッグを、前記ガス管の管壁に形成した貫通孔を通して、その貫通孔形成箇所を挟んで管長手方向に対向するように管内に装着して、前記流入遮断側管内を密閉し、前記放出管を、前記貫通孔を介して、前記密閉した流入遮断側管内に連通させてある点にある。
【００１０】
〔作用及び効果〕
二個のガスバッグを、ガス管の管壁に形成した貫通孔を通して、その貫通孔形成箇所を挟んで管長手方向に対向するように管内に装着して、流入遮断側管内を密閉し、放出管を、貫通孔を介して、その密閉した流入遮断側管内に連通させてあるので、ガス管の途中箇所を遮断して配管工事などを行うような場合に、安い監視コストで、越ガス量の変化を精度良く監視できる。
【発明を実施するための最良の形態】
【００１１】
以下に本発明の実施の形態を図面に基づいて説明する。
図１は、地面を掘削して、その掘削溝１内に露出させてある都市ガス供給用の地中埋設ガス管Ｂを示し、そのガス管Ｂの工事対象区間Ｃをガスが通流している活管状態で切断しするなどの配管工事を行うために、貫通孔２の穿孔用筒体３と分岐用筒体４とを備えた分岐用継手５を活管工法で取り付けて、穿孔用筒体３から、ガス管Ｂの管壁に形成したバッグ装着用貫通孔２を通して管内に挿入した二個のガスバッグ６でガス管Ｂ内を遮断し、ガスバッグ６と管内面７との間を通して漏れ出した越ガスを監視できるように構成してある本発明による越ガス監視装置Ａを設けてある。
【００１２】
前記二個のガスバッグ６は、バッグ装着用貫通孔２の形成箇所を挟んで管長手方向に対向するように管内に装着することによりガス管Ｂ内を遮断して、それらのガスバッグ６でガスの流入が遮断されている流入遮断側管内８を密閉しており、各ガスバッグ６を膨らませるための空気供給用ホース９を穿孔用筒体３に通して、ホース９と穿孔用筒体３との隙間をシール材１０などで塞いである。
【００１３】
前記越ガス監視装置Ａは、放出管１１を分岐用筒体４に接続して、バッグ装着用貫通孔２を介して、二個のガスバッグ６で密閉した流入遮断側管内（以下、密閉管内という）８に連通させるとともに、第１コック１２を介して、越ガス回収用バッグ１３に接続し、二個のガスバッグ６のうちの、図中の矢印で示すガス供給方向で上手側（高圧側）に装着したガスバッグ６ａと管内面７との間を通して密閉管内８に漏れ出した越ガスを、放出管１１を通して、越ガス回収用バッグ１３内に放出可能に設けてある。
【００１４】
そして、第２コック１４を備えた枝管１５を放出管１１の途中に分岐接続するとともに、その枝管１５の端部にチーズ（Ｔ字形管継手）１６を接続し、チーズ１６の一方の接続部に密閉管内８の圧力測定用のＵ字管１７を接続し、チーズ１６の他方の接続部にプラグ１８を接続して、放出管１１に、越ガスによって通過音を発生可能なオリフィス１９を、その通過音をガス管Ｂ周りの外部空間に伝播可能に設けてある。
【００１５】
前記オリフィス１９は、図２に示すように、チーズ１６に螺合させる雄ねじ部２０を形成してある内径が１５ｍｍ程度のねじ筒２１を備えたプラグ１８の端部に、６ｍｍ程度の円形孔を貫通形成して形成して、一時間当たり２．５ｍ３程度の許容流量を超える流量で越ガスがオリフィス１９を通過すると、外部空間に伝播可能な通過音が発生するように設けてある。
【００１６】
上記越ガス監視装置Ａによる監視方法を説明すると、第１コック１２を閉じておくとともに、第２コック１４を開けておいて、越ガスが発生していると、その越ガスの一部をオリフィス１９を通して外部空間に放出できるようにしておき、越ガス量が増大して外部空間に伝播可能な通過音が発生すると、第２コック１４を閉じるとともに、第１コック１２を開けて、越ガスを越ガス回収用バッグ１３内に放出して回収し、ガスバッグ６（６ａ）に更に強く膨らませてガスバッグ６と管内面７との密着度を高めたり、バッグ装着用貫通孔２を増やして追加のガスバッグ６を管内に装着するなどの、越ガス量を減らすための措置を必要に応じて講じることができる。
【００１７】
〔その他の実施形態〕
１．本発明による越ガス監視装置は、二個のガスバッグをガス管の端部開口から管軸方向に間隔を隔てて装着して、奥側に装着したガスバッグでガスの流入が遮断されている流入遮断側管内を密閉するとともに、その密閉した流入遮断側管内に連通する放出管を設けてあっても良い。
２．本発明による越ガス監視装置は、ガス管の端部開口から管軸方向に管内に装着した一個のガスバッグでガス管内を遮断するとともに、そのガスバッグと端部開口との間の管内を塞ぐ管内閉塞部材や、ガス管の端部開口を塞ぐキャップなどを設けて、一個のガスバッグでガスの流入が遮断されている流入遮断側管内を密閉するとともに、その密閉した流入遮断側管内に連通する放出管を設けてあっても良い。
３．本発明による越ガス監視装置は、放出管自体に、その放出管を通して放出される越ガスによって通過音を発生可能なオリフィスを、その通過音を外部空間に伝播可能に設けてあっても良い。
４．本発明による越ガス監視装置は、放出管を通して、越ガスを大気中に放出できるように設けてあっても良い。
【図面の簡単な説明】
【００１８】
【図１】越ガス監視装置の説明図
【図２】要部の一部切欠き側面図
【符号の説明】
【００１９】
２    貫通孔
６    ガスバッグ
７    管内面
８    密閉した流入遮断側管内
１１  放出管
１９  オリフィス
Ｂ    ガス管
【図１】
2005249156.tif 000003
【図２】
2005249156.tif 000004